(57)【特許請求の範囲】
【請求項１】
サービス移行方法であって、
ユーザ装置（ＵＥ）が、自身がサービス移行条件を満たすかどうかを判定することと、
ＵＥがサービス移行条件を満たす場合、ＵＥがサービス移行優先処理原則に従って、ワイヤレスローカルエリアネットワーク（ＷＬＡＮ）接続確立プロセスを開始し、サービスをＷＬＡＮネットワークに移行することと、
サービス移行の決定がすべてのサービスをＷＬＡＮネットワークに移行することである場合、ＵＥは、ソースネットワークから送信された、移動制御情報エレメント（ＩＥ）が含まれている無線リソース制御接続再構成（ＲＲＣ  ｃｏｎｎｅｃｔｉｏｎ  ｒｅｃｏｎ  ｆｉｇｕｒａｔｉｏｎ）メッセージを受信した後、切り替えプロセスを実行しないことと、を含む、前記サービス移行方法。
【請求項２】
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
ＵＥが第一の予め設定された時間内にソースネットワークへ切り替えに関連する測定レポートを送信しないことをさらに含むことを特徴とする
請求項１に記載の方法。
【請求項３】
サービス移行の決定がすべてのサービスをＷＬＡＮネットワークに移行することである場合、サービスをＷＬＡＮネットワークに移行した後、ＵＥがＲＲＣ接続を解放することをさらに含み、または、
サービス移行の決定が一部のサービスをＷＬＡＮネットワークに移行することである場合、サービスをＷＬＡＮネットワークに移行した後、既存のプロトコル仕様に従って切り替えプロセスを実行することをさらに含むことを特徴とする
請求項１に記載の方法。
【請求項４】
前記サービス移行に関連する測定レポートと切り替えに関連する測定レポートは、新しく定義されたＲＲＣシグナリングまたは既存のプロトコルにおける測定レポート（ｍｅａｓｕｒｅｍｅｎｔ  ｒｅｐｏｒｔ）シグナリングを使用して送信されることを特徴とする
請求項２に記載の方法。
【請求項５】
サービス移行方法であって、
ユーザ装置（ＵＥ）がサービス移行条件を満たすかどうかを判定することと、
ＵＥがサービス移行条件を満たす場合、ソースネットワークがサービス移行優先処理原則に従って、ワイヤレスローカルエリアネットワーク（ＷＬＡＮ）接続確立プロセスを開始するようにＵＥを制御し、サービスをＷＬＡＮネットワークに移行することと、
サービス移行の決定がすべてのサービスをＷＬＡＮネットワークに移行することである場合、ソースネットワークが行われている切り替えプロセスを終止することと、を含む、前記サービス移行方法。
【請求項６】
サービス移行の決定がすべてのサービスをＷＬＡＮネットワークに移行することである場合、ソースネットワークが、ＷＬＡＮ接続確立プロセスを開始するようにＵＥを制御することは、
ソースネットワークがＵＥへ移行命令（ｓｔｅｅｒｉｎｇ  ｃｏｍｍａｎｄ）メッセージを送信することで、ＷＬＡＮ接続確立プロセスを開始するようにＵＥを制御することであることを特徴とする
請求項５に記載の方法。
【請求項７】
ソースネットワークが移行命令（ｓｔｅｅｒｉｎｇ  ｃｏｍｍａｎｄ）メッセージを送信した後、
ソースネットワークがＲＲＣ接続を解放することをさらに含むことを特徴とする
請求項６に記載の方法。
【請求項８】
ソースネットワークが移行命令（ｓｔｅｅｒｉｎｇ  ｃｏｍｍａｎｄ）メッセージを送信した後、
ソースネットワークが第二の予め設定された時間内に切り替えプロセスを実行しないことをさらに含むことを特徴とする
請求項６に記載の方法。
【請求項９】
前記移行命令（ｓｔｅｅｒｉｎｇ  ｃｏｍｍａｎｄ）メッセージは、新しく定義されたＲＲＣメッセージであり、または、
無線リソース制御接続再構成（ＲＲＣ  Ｃｏｎｎｅｃｔｉｏｎ  Ｒｅｃｏｎｆｉｇｕｒａｔｉｏｎ）メッセージに追加された移行サービス追加リスト情報エレメント（ＩＥ）および／または移行サービス解放リスト情報エレメント（ＩＥ）であり、前記移行サービス追加リストＩＥは、確立された、ＷＬＡＮネットワークから３ＧＰＰネットワークに移行されるサービスをロードするためのベアラを示すことに用いられ、前記移行サービス解放リストＩＥは、サービスが３ＧＰＰネットワークからＷＬＡＮネットワークに移行されることを示すことに用いられることを特徴とする
請求項６に記載の方法。
【請求項１０】
ユーザ装置（ＵＥ）であって、
ＵＥがサービス移行条件を満たすかどうかを判定するように構成される第一の条件判定ユニットと、
ＵＥがサービス移行条件を満たす場合、サービス移行優先処理原則に従って、ワイヤレスローカルエリアネットワーク（ＷＬＡＮ）接続確立プロセスを開始し、サービスをＷＬＡＮネットワークに移行するように構成される移行ユニットと、
サービス移行の決定がすべてのサービスをＷＬＡＮネットワークに移行することである場合、ソースネットワークから送信された、移動制御情報エレメントＩＥが含まれている無線リソース制御接続再構成（ＲＲＣ  ｃｏｎｎｅｃｔｉｏｎ  ｒｅｃｏｎｆｉｇｕｒａｔｉｏｎ）メッセージを受信した後、ターゲットネットワークへ接続確立プロセスを送信しないように構成される接続確立制御ユニットと、を含む、前記ユーザ装置ＵＥ。
【請求項１１】
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
第一の予め設定された時間内にソースネットワークへ切り替えに関連する測定レポートを送信しないように構成される測定レポート制御ユニットをさらに含むことを特徴とする
請求項１０に記載のＵＥ。
【請求項１２】
ソースネットワークであって、
ユーザ装置（ＵＥ）がサービス移行条件を満たすかどうかを判定するように構成される第二の条件判定ユニットと、
ＵＥがサービス移行条件を満たす場合、サービス移行優先処理原則に従って、ワイヤレスローカルエリアネットワーク（ＷＬＡＮ）接続確立プロセスを開始するようにＵＥを制御し、サービスをＷＬＡＮネットワークに移行するように構成される移行制御ユニットと、
サービス移行の決定がすべてのサービスをＷＬＡＮネットワークに移行することである場合、行われている切り替えプロセスを終止するように構成される切り替え制御ユニットと、を含む、前記ソースネットワーク。
【請求項１３】
コンピュータ記憶媒体であって、
請求項１〜４、請求項５〜９のいずれか１項に記載の方法を実行するためのコンピュータ実行可能命令を記憶している、前記コンピュータ記憶媒体。
【発明の詳細な説明】
【技術分野】
【０００１】
本発明は、移動通信分野に関し、特にサービス移行方法、関連装置およびコンピュータ記憶媒体に関する。
【背景技術】
【０００２】
ユーザ装置（Ｕｓｅｒ  Ｅｑｕｉｐｍｅｎｔ：ＵＥ）は、第四世代無線通信技術以外、ＩＥＥＥ８０２．１１に基づくワイヤレスローカルエリアネットワーク（Ｗｉｒｅｌｅｓｓ  Ｌｏｃａｌ  Ａｒｅａ  Ｎｅｔｗｏｒｋｓ：ＷＬＡＮ）技術をサポートする。デュアルモード特性を有するＵＥは、多く、例えばスマートフォンなどである。ＷＬＡＮが高速通信性能を有するので、ＷＬＡＮを第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ；３ＧＰＰ）ネットワークのブラインドスポットカバレッジとホットスポットカバレッジとすることがますます多く応用される。
【０００３】
現在、３ＧＰＰネットワークとＷＬＡＮネットワークがインタワーキングする過程において、３つの認可されたサービス移行解決手段は、以下の通りである。解決手段１と解決手段２は、ＵＥが既存のポリシー情報および補助情報によりサービス移行の操作を実行することであり、解決手段１と解決手段２の違いは、解決手段１においてネットワーク側が閾値などの補助情報のみを提供してＵＥがネットワーク選択を行うのに支援を与え、解決手段２において無線アクセスネットワークが解決手段１と類似する補助情報以外、ネットワーク選択のためのポリシー情報を提供してＵＥがネットワーク選択を行うのに支援を与えることができることにある。解決手段３と解決手段１および解決手段２との最大の違いは、解決手段３においてサービス移行決定がＵＥではなく、ネットワーク側によって制御されることにある。
【０００４】
３ＧＰＰネットワークにおいて移動性は、重要な問題であり、移動性の決定がネットワーク効率およびユーザ体験に影響を与え、ここで、移動性は、ＵＥからアクセスされたソース発展型移動基地局（Ｅｖｏｌｖｅｄ  Ｎｏｄｅ  Ｂ：ｅＮＢ）がターゲットｅＮＢに切り替えられるものである。
【０００５】
しかし、現在、３ＧＰＰネットワークとＷＬＡＮネットワークがインタワーキングする過程において、移動性およびサービス移行が同時に発生する場合のネットワーク側とＵＥの動作を規範化しなく、すなわち移動性とサービス移行が同時に存在する場合にどのように操作するかの問題があり、ネットワーク側とＵＥの間の異なる移動性およびサービス移行処理機構によりネットワークが異常になり、シグナリングオーバーヘッドが増加することなどを引き起こす。
【発明の概要】
【０００６】
これを鑑みて、本発明の実施形態の主な目的は、移動性およびサービス移行が同時に存在する場合にどのように操作するかの問題を解決し、ネットワークの異常を避けることができる、サービス移行方法、関連装置およびコンピュータ記憶媒体を提供することにある。
【０００７】
前記目的を達成するために、本発明の実施形態の技術的解決手段は、以下のように実現される。
【０００８】
本発明の実施形態によるサービス移行方法は、
ユーザ装置（ＵＥ）が、自身がサービス移行条件を満たすかどうかを判定することと、
ＵＥがサービス移行条件を満たす場合、ＵＥがサービス移行優先処理原則に従って、ワイヤレスローカルエリアネットワーク（ＷＬＡＮ）接続確立プロセスを開始し、サービスをＷＬＡＮネットワークに移行することとを含む。
【０００９】
好ましくは、前記方法は、
サービス移行の決定がすべてのサービスをＷＬＡＮネットワークに移行することである場合、ＵＥは、ソースネットワークから送信された、移動制御情報エレメントＩＥが含まれている無線リソース制御接続再構成（ＲＲＣ  ｃｏｎｎｅｃｔｉｏｎ  ｒｅｃｏｎｆｉｇｕｒａｔｉｏｎ）メッセージを受信した後、切り替えプロセスを実行しないことをさらに含む。
【００１０】
好ましくは、前記方法は、
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
ＵＥが第一の予め設定された時間内にソースネットワークへ切り替えに関連する測定レポートを送信しないことをさらに含む。
【００１１】
好ましくは、サービス移行の決定がすべてのサービスをＷＬＡＮネットワークに移行することである場合、サービスをＷＬＡＮネットワークに移行した後、前記方法は、ＵＥがＲＲＣ接続を解放することをさらに含む。
【００１２】
好ましくは、サービス移行の決定が一部のサービスをＷＬＡＮネットワークに移行することである場合、サービスをＷＬＡＮネットワークに移行した後、前記方法は、既存のプロトコル仕様に従って切り替えプロセスを実行することをさらに含む。
【００１３】
好ましくは、前記サービス移行に関連する測定レポートと切り替えに関連する測定レポートは、新しく定義されたＲＲＣシグナリングまたは既存のプロトコルにおける測定レポート（ｍｅａｓｕｒｅｍｅｎｔ  ｒｅｐｏｒｔ）シグナリングを使用して送信される。
【００１４】
本発明の実施形態によるサービス移行方法は、
ユーザ装置（ＵＥ）がサービス移行条件を満たすかどうかを判定すること、
ＵＥがサービス移行条件を満たす場合、ソースネットワークがサービス移行優先処理原則に従って、ワイヤレスローカルエリアネットワーク（ＷＬＡＮ）接続確立プロセスを開始するようにＵＥを制御し、サービスをＷＬＡＮネットワークに移行することとを含む。
【００１５】
好ましくは、前記方法は、
サービス移行の決定がすべてのサービスをＷＬＡＮネットワークに移行することである場合、ソースネットワークが行われている切り替えプロセスを終止することをさらに含む。
【００１６】
好ましくは、サービス移行の決定がすべてのサービスをＷＬＡＮネットワークに移行することである場合、ソースネットワークが、ＷＬＡＮ接続確立プロセスを開始するようにＵＥを制御することは、
ソースネットワークがＵＥへ移行命令（ｓｔｅｅｒｉｎｇ  ｃｏｍｍａｎｄ）メッセージを送信することで、ＷＬＡＮ接続確立プロセスを開始するようにＵＥを制御することである。
【００１７】
好ましくは、ソースネットワークが移行命令（ｓｔｅｅｒｉｎｇ  ｃｏｍｍａｎｄ）メッセージを送信した後、前記方法は、
ソースネットワークがＲＲＣ接続を解放することをさらに含む。
【００１８】
好ましくは、ソースネットワークが移行命令（ｓｔｅｅｒｉｎｇ  ｃｏｍｍａｎｄ）メッセージを送信した後、前記方法は、
ソースネットワークが第二の予め設定された時間内に切り替えプロセスを実行しないことをさらに含む。
【００１９】
好ましくは、前記移行命令（ｓｔｅｅｒｉｎｇ  ｃｏｍｍａｎｄ）メッセージは、新しく定義されたＲＲＣメッセージであり、または、
無線リソース制御接続再構成（ＲＲＣ  Ｃｏｎｎｅｃｔｉｏｎ  Ｒｅｃｏｎｆｉｇｕｒａｔｉｏｎ）メッセージに追加された移行サービス追加リスト情報エレメントＩＥおよび／または移行サービス解放リスト情報エレメントＩＥであり、前記移行サービス追加リストＩＥは、確立された、ＷＬＡＮネットワークから３ＧＰＰネットワークに移行されるサービスをロードするためのベアラを示すことに用いられ、前記移行サービス解放リストＩＥは、サービスが３ＧＰＰネットワークからＷＬＡＮネットワークに移行されることを示すことに用いられる。
【００２０】
本発明の実施形態によるユーザ装置（ＵＥ）は、
ＵＥがサービス移行条件を満たすかどうかを判定するように構成される第一の条件判定ユニットと、
ＵＥがサービス移行条件を満たす場合、サービス移行優先処理原則に従って、ワイヤレスローカルエリアネットワーク（ＷＬＡＮ）接続確立プロセスを開始し、サービスをＷＬＡＮネットワークに移行するように構成される移行ユニットとを含む。
【００２１】
好ましくは、前記ＵＥは、
サービス移行の決定がすべてのサービスをＷＬＡＮネットワークに移行することである場合、ソースネットワークから送信された、移動制御情報エレメントＩＥが含まれている無線リソース制御接続再構成（ＲＲＣ  ｃｏｎｎｅｃｔｉｏｎ  ｒｅｃｏｎｆｉｇｕｒａｔｉｏｎ）メッセージを受信した後、ターゲットネットワークへ接続確立プロセスを送信しないように構成される接続確立制御ユニットをさらに含む。
【００２２】
好ましくは、前記ＵＥは、
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
第一の予め設定された時間内にソースネットワークへ切り替えに関連する測定レポートを送信しないように構成される測定レポート制御ユニットをさらに含む。
【００２３】
本発明の実施形態によるソースネットワークは、
ユーザ装置（ＵＥ）がサービス移行条件を満たすかどうかを判定するように構成される第二の条件判定ユニットと、
ＵＥがサービス移行条件を満たす場合、サービス移行優先処理原則に従って、ワイヤレスローカルエリアネットワーク（ＷＬＡＮ）接続確立プロセスを開始するようにＵＥを制御し、サービスをＷＬＡＮネットワークに移行するように構成される移行制御ユニットとを含む。
【００２４】
好ましくは、前記ソースネットワークは、
サービス移行の決定がすべてのサービスをＷＬＡＮネットワークに移行することである場合、行われている切り替えプロセスを終止するように構成される切り替え制御ユニットをさらに含む。
【００２５】
コンピュータ記憶媒体は、前記方法を実行するためのコンピュータ実行可能命令を記憶している。
【００２６】
以上のことから、本発明の実施形態の技術的解決手段は、ユーザ装置（ＵＥ）が、自身がサービス移行条件を満たすかどうかを判定することと、ＵＥがサービス移行条件を満たす場合、ＵＥがサービス移行優先処理原則に従って、ワイヤレスローカルエリアネットワーク（ＷＬＡＮ）接続確立プロセスを開始し、サービスをＷＬＡＮネットワークに移行することとを含むことがわかる。従って、サービス移行優先処理原則に従って、ワイヤレスローカルエリアネットワーク（ＷＬＡＮ）接続確立プロセスを開始し、サービスをＷＬＡＮネットワークに移行することにより、本発明の実施形態は、移動性とサービス移行が同時に存在する場合にどのように操作するかの問題を解決でき、さらにネットワークの異常を避け、シグナリングオーバヘッドを節約し、ネットワーク性能を最適化する
【図面の簡単な説明】
【００２７】
【図１】本発明の実施形態によるサービス移行方法の実現プロセスを示す図である。
【図２】本発明の実施形態による別のサービス移行方法の実現プロセスを示す図である。
【図３】本発明の実施形態によるＵＥの構造構成を示す図である。
【図４】本発明の実施形態によるソースネットワークの構造構成を示す図である。
【図５】本発明のサービス移行方法の第一の実施形態の例のフローチャートである。
【図６】本発明のサービス移行方法の第二の実施形態の例のフローチャートである。
【図７】本発明のサービス移行方法の第三の実施形態の例のフローチャートである。
【図８】本発明のサービス移行方法の第四の実施形態の例のフローチャートである。
【発明を実施するための形態】
【００２８】
以下に図面を参照しかつ実施形態と組み合わせて本発明を詳しく説明する。なお、衝突しない場合で、本出願における実施形態および実施形態における特徴は、互いに組み合わせられることができる。
【００２９】
本発明の実施形態によるサービス移行方法は、図１に示すように、以下のステップを含む。
【００３０】
ステップ１０１において、ＵＥは、自身がサービス移行条件を満たすかどうかを判定する。
【００３１】
ステップ１０２において、ＵＥがサービス移行条件を満たす場合、ＵＥは、サービス移行優先処理原則に従って、ＷＬＡＮ接続確立プロセスを開始し、サービスをＷＬＡＮネットワークに移行する。
【００３２】
好ましくは、前記方法は、
サービス移行の決定がすべてのサービスをＷＬＡＮネットワークに移行することである場合、ＵＥは、ソースネットワークから送信された、移動制御（Ｍｏｂｉｌｉｔｙ  ｃｏｎｔｒｏｌ）情報エレメント（Ｉｎｆｏｒｍａｔｉｏｎ  Ｅｌｅｍｅｎ：ＩＥ）が含まれている無線リソース制御（Ｒａｄｉｏ  Ｒｅｓｏｕｒｃｅ  Ｃｏｎｔｒｏｌ：ＲＲＣ）接続再構成（ｃｏｎｎｅｃｔｉｏｎ  ｒｅｃｏｎｆｉｇｕｒａｔｉｏｎ）メッセージを受信した後、切り替えプロセスを実行しないことをさらに含む。
【００３３】
ここで、前記すべてのサービスは、
同一のＵＥでの同じパケットデータネットワーク（Ｐａｃｋｅｔ  Ｄａｔａ  Ｎｅｔｗｏｒｋ：ＰＤＮ）における保証されるビットレート（Ｇｕａｒａｎｔｅｅｄ  Ｂｉｔ  Ｒａｔｅ：ＧＢＲ）サービスと保証されないビットレートＮｏｎｅ-ＧＢＲサービスの総計であり、または、
同一のＵＥでの異なるＰＤＮにおけるＧＢＲサービスとｎｏｎｅ-ＧＢＲサービスの総計である。
【００３４】
好ましくは、前記方法は、
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
ＵＥが第一の予め設定された時間内にソースネットワークへ切り替えに関連する測定レポートを送信しないことをさらに含む。
【００３５】
好ましくは、サービス移行の決定がすべてのサービスをＷＬＡＮネットワークに移行することである場合、サービスをＷＬＡＮネットワークに移行した後、前記方法は、ＵＥがＲＲＣ接続を解放することをさらに含む。
【００３６】
好ましくは、サービス移行の決定が一部のサービスをＷＬＡＮネットワークに移行することである場合、サービスをＷＬＡＮネットワークに移行した後、前記方法は、既存のプロトコル仕様に従って切り替えプロセスを実行することをさらに含む。
【００３７】
好ましくは、前記サービス移行に関連する測定レポートと切り替えに関連する測定レポートは、新しく定義されたＲＲＣシグナリングまたは既存のプロトコルにおける測定レポート（ｍｅａｓｕｒｅｍｅｎｔ  ｒｅｐｏｒｔ）シグナリングを使用して送信される。
【００３８】
本発明の実施形態による別のサービス移行方法は、図２に示され、以下のステップを含む。
【００３９】
ステップ２０１において、ＵＥがサービス移行条件を満たすかどうかを判定する。
【００４０】
ステップ２０２において、ＵＥがサービス移行条件を満たす場合、ソースネットワークは、サービス移行優先処理原則に従って、ＷＬＡＮ接続確立プロセスを開始するようにＵＥを制御し、サービスをＷＬＡＮネットワークに移行する。
【００４１】
好ましくは、前記方法は、
サービス移行の決定がすべてのサービスをＷＬＡＮネットワークに移行することである場合、ソースネットワークは、行われている切り替えプロセスを終止することをさらに含む。
【００４２】
好ましくは、サービス移行の決定がすべてのサービスをＷＬＡＮネットワークに移行することである場合、ソースネットワークがＷＬＡＮ接続確立プロセスを開始するようにＵＥを制御することは、
ソースネットワークがＵＥへ移行命令（ｓｔｅｅｒｉｎｇ  ｃｏｍｍａｎｄ）メッセージを送信することで、ＷＬＡＮ接続確立プロセスを開始するようにＵＥを制御することである。
【００４３】
好ましくは、ソースネットワークが移行命令（ｓｔｅｅｒｉｎｇ  ｃｏｍｍａｎｄ）メッセージを送信した後、前記方法は、
ソースネットワークがＲＲＣ接続を解放することをさらに含む。
【００４４】
好ましくは、ソースネットワークが移行命令（ｓｔｅｅｒｉｎｇ  ｃｏｍｍａｎｄ）メッセージを送信した後、前記方法は、
ソースネットワークが第二の予め設定された時間内に切り替えプロセスを実行しないことをさらに含む。
【００４５】
好ましくは、前記移行命令（ｓｔｅｅｒｉｎｇ  ｃｏｍｍａｎｄ）メッセージは、新しく定義されたＲＲＣメッセージであり、または、
ＲＲＣ  Ｃｏｎｎｅｃｔｉｏｎ  Ｒｅｃｏｎｆｉｇｕｒａｔｉｏｎメッセージに追加された移行サービス追加リスト（ｓｔｅｅｒｉｎｇ  ａｄｄ  ｌｉｓｔ）ＩＥおよび／または移行サービス解放リスト（ｓｔｅｅｒｉｎｇ  ｒｅｌｅａｓｅ  ｌｉｓｔ）ＩＥであり、前記移行サービス追加リスト（ｓｔｅｅｒｉｎｇ  ａｄｄ  ｌｉｓｔ）ＩＥは、確立された、ＷＬＡＮネットワークから３ＧＰＰネットワークに移行されるサービスをロードするためのベアラを示すことに用いられ、前記移行サービス解放リストＩＥは、サービスが３ＧＰＰネットワークからＷＬＡＮネットワークに移行されることを示すことに用いられる。
【００４６】
本発明の実施形態によるＵＥは、図３に示すように、
ＵＥがサービス移行条件を満たすかどうかを判定するように構成される第一の条件判定ユニットと、
ＵＥがサービス移行条件を満たす場合、サービス移行優先処理原則に従って、ＷＬＡＮ接続確立プロセスを開始し、サービスをＷＬＡＮネットワークに移行するように構成される移行ユニットとを含む。
【００４７】
好ましくは、前記ＵＥは、
サービス移行の決定がすべてのサービスをＷＬＡＮネットワークに移行することである場合、ソースネットワークから送信された、移動制御情報エレメント（Ｍｏｂｉｌｉｔｙ  ｃｏｎｔｒｏｌ  ＩＥ）が含まれているＲＲＣ接続再構成（ｃｏｎｎｅｃｔｉｏｎ  ｒｅｃｏｎｆｉｇｕｒａｔｉｏｎ）メッセージを受信した後、ターゲットネットワークへ接続確立プロセスを開始しないように構成される接続確立制御ユニットをさらに含む。
【００４８】
好ましくは、前記ＵＥは、
サービス移行の決定がすべてのサービスをＷＬＡＮネットワークに移行することである場合、または、
ＵＥによって測定された結果がサービス移行プロセスのトリガ条件を満たす場合、または、
ＵＥがサービス移行に関連する測定レポートを送信した場合、
第一の予め設定された時間内にソースネットワークへ切り替えに関連する測定レポートを送信しないように構成される測定レポート制御ユニットをさらに含む。
【００４９】
本発明の実施形態ＵＥの第一の条件判定ユニット、移行ユニットは、ＣＰＵ、ＤＳＰ、ＦＰＧＡなどのデバイスによって実現されることができる。
【００５０】
本発明の実施形態によるソースネットワークは、図４に示すように、
ＵＥがサービス移行条件を満たすかどうかを判定するように構成される第二の条件判定ユニットと、
ＵＥがサービス移行条件を満たす場合、サービス移行優先処理原則に従って、ＷＬＡＮ接続確立プロセスを開始するようにＵＥを制御し、サービスをＷＬＡＮネットワークに移行するように構成される移行制御ユニットとを含む。
【００５１】
好ましくは、前記ソースネットワークは、
サービス移行の決定がすべてのサービスをＷＬＡＮネットワークに移行することである場合、行われている切り替えプロセスを終止するように構成される切り替え制御ユニットをさらに含む。
【００５２】
本発明の実施形態によるソースネットワークの第二の条件判定ユニット、移行制御ユニットは、ＣＰＵ、ＤＳＰ、ＦＰＧＡなどのデバイスによって実現されることができる。
【００５３】
本発明の実施形態によるコンピュータ記憶媒体は、前記方法を実行するためのコンピュータ実行可能命令を記憶している。
【００５４】
以下、本発明が長期発展型（Ｌｏｎｇ  Ｔｅｒｍ  Ｅｖｏｌｕｔｉｏｎ：ＬＴＥ）ネットワークに応用されることを例にして、本発明を詳しく説明する。下記の実施形態において、ソースネットワークは、ソースｅＮＢであり、ターゲットネットワークは、ターゲットｅＮＢである。
【００５５】
実施形態一
本実施形態において、ＵＥは、すべてのサービスを３ＧＰＰネットワークからＷＬＡＮネットワークに移行することを決定し、そして切り替え命令を受信した後にターゲットｅＮＢへ接続確立メッセージを送信しなく、図５に示すように、本実施形態によって提供されるサービス移行方法は、以下のステップを含む。
【００５６】
ステップ５０１において、ＵＥは、３ＧＰＰネットワークとＷＬＡＮネットワークの相互運用（ｉｎｔｅｒｏｐｅｒａｔｉｏｎ）ポリシーを取得する。
【００５７】
この例において、ＵＥは、コアネットワークエレメントとするアクセスネットワーク発見および選択機能エンティティ（Ａｃｃｅｓｓ  Ｎｅｔｗｏｒｋ  Ｄｉｓｃｏｖｅｒｙ  Ａｎｄ  Ｓｅｌｅｃｔｉｏｎ  Ｆｕｎｃｔｉｏｎ：ＡＮＤＳＦ）から相互運用ポリシーを取得する。
【００５８】
ステップ５０２において、接続状態にあるＵＥは、測定結果に基づいて自身が測定レポートの報告条件を満たすかどうかを判定し、測定レポートの報告条件を満たす場合、ネットワーク側のソースｅＮＢへ測定レポート（Ｍｅａｓｕｒｅｍｅｎｔ  ｒｅｐｏｒｔｓ）を送信する。
【００５９】
この例において、測定レポートは、切り替えに関連する測定イベントによってトリガされる。
【００６０】
ステップ５０３において、ソースｅＮＢは、ＵＥから送信された測定レポートを受信した後に、切り替えプロセスを行うかどうかを判定する。
【００６１】
この例において、ソースｅＮＢは、測定レポートに基づいて切り替えを実行するかどうかを決定する。
【００６２】
ステップ５０４において、ソースｅＮＢは、ターゲットｅＮＢへ切り替え要求メッセージ（Ｈａｎｄｏｖｅｒ  ｒｅｑｕｅｓｔ）を送信する。
【００６３】
この例において、ソースｅＮＢは、条件を満たすターゲットｅＮＢへ切り替え要求メッセージを送信する。
【００６４】
ステップ５０５において、ターゲットｅＮＢは、ソースｅＮＢから送信された切り替え要求を受信した後にソースｅＮＢの切り替え要求を同意し、そしてソースｅＮＢへ切り替え要求応答メッセージ（Ｈａｎｄｏｖｅｒ  ｒｅｑｕｅｓｔ  ＡＣＫ）を送信する。
【００６５】
この例において、ターゲットｅＮＢは、切り替え要求を同意し、そしてソースｅＮＢへ切り替え要求応答メッセージを送信する。
【００６６】
ステップ５０６において、ＵＥは、取得された相互運用ポリシーに基づいて、すべてのサービスの移行条件を満たす場合、移行プロセスを実行することを決定する。
【００６７】
この例において、ＵＥは、ＡＮＤＳＦから取得された相互運用ポリシーに基づいて測定を実行し、すべてのサービスの移行条件を満たすかどうかを判定し、すべてのサービスの移行条件を満たす場合、移行プロセスを実行することを決定する。
【００６８】
ステップ５０６は、ステップ５０５、またはステップ５０４、または５０３、または５０２の前に位置することができる。
【００６９】
ステップ５０７において、ＵＥは、ＷＬＡＮネットワーク接続確立プロセスを開始し、そしてすべてのサービスをＷＬＡＮネットワークに移行する。
【００７０】
この例において、ＵＥは、ステップ５０６を実行した後にすぐにＷＬＡＮネットワーク接続確立プロセスを実行し、そして接続を成功に確立した後にすべてのサービスをＷＬＡＮネットワークに移行する。
【００７１】
ステップ５０８において、ソースｅＮＢは、ＵＥへＲＲＣ接続再構成（ｃｏｎｎｅｃｔｉｏｎ  ｒｅｃｏｎｆｉｇｕｒａｔｉｏｎ）メッセージを送信し、当該メッセージに移動制御（Ｍｏｂｉｌｉｔｙ  ｃｏｎｔｒｏｌ）ＩＥが含まれている。
【００７２】
この例において、ソースｅＮＢは、ＵＥへ移動制御ＩＥが含まれているＲＲＣ接続再構成メッセージを送信し、切り替え操作を実行するようにＵＥに通知する。
【００７３】
ステップ５０９において、ＵＥは、サービス移行優先原則に従って、ターゲットｅＮＢへ接続確立メッセージを送信しない。
【００７４】
この例において、ＵＥは、サービス移行優先原則に従って、ターゲットｅＮＢへ接続確立メッセージを送信しなく、無線リンクが失敗するまで待って、ＲＲＣ接続再確立プロセスにより、新しいネットワーク、すなわちＷＬＡＮネットワークに再接続される。
【００７５】
実施形態二
本実施形態において、ＵＥは、すべてのサービスをＷＬＡＮネットワークに移行することを決定し、単位時間Ｔ１で切り替えに関連する測定レポートを送信しなく、図６に示すように、本実施形態によるサービス移行方法は、以下のステップを含む。
【００７６】
ステップ６０１において、ＵＥは、３ＧＰＰネットワークとＷＬＡＮネットワークの相互運用ポリシーを取得する。
【００７７】
この例において、ＵＥは、ソースｅＮＢから相互運用ポリシーを取得する。
【００７８】
ステップ６０２において、ＵＥは、取得された相互運用ポリシーに基づいて測定を実行し、すべてのサービスの移行条件を満たす場合、移行プロセスを実行することを決定し、そしてタイマーを起動し、当該タイマーが運転する場合にネットワーク側のソースｅＮＢへ測定レポートを送信しない。
【００７９】
この例において、ＵＥは、ソースｅＮＢから取得された相互運用ポリシーに基づいて測定を実行し、そしてすべてのサービスの移行条件を満たすかどうかを判定し、すべてのサービスの移行条件を満たす場合、移行プロセスを実行することを決定する。切り替えに関連する測定レポートを制御するためのタイマーを起動し、当該タイマーが運転する場合にネットワーク側のソースｅＮＢへ測定レポートを送信できない。
【００８０】
ステップ６０３において、ＵＥは、ＷＬＡＮネットワーク接続確立プロセスを開始し、そしてすべてのサービスをＷＬＡＮネットワークに移行する。
【００８１】
この例において、ＵＥは、ステップ６０３を実行した後にすぐにＷＬＡＮ接続確立プロセスを実行し、そして接続を成功に確立した後にすべてのサービスをＷＬＡＮネットワークに移行する。
【００８２】
ステップ６０４において、接続状態にあるＵＥは、測定結果に基づいて自身が測定レポートの報告条件を満たすかどうかを判定し、測定レポートの報告条件を満たし、かつタイマーが運転を停止した場合、ネットワーク側のソースｅＮＢへ測定レポートを送信する。
【００８３】
この例において、測定レポートが切り替えに関連する測定イベントによってトリガされ、サービス移行優先原則に従って、ステップ６０２に設定されたタイマーがまだ運転する場合、ＵＥは、今回のトリガされた測定レポートを送信しない。
【００８４】
実施形態三
本実施形態において、ネットワーク側は、すべてのサービスをＷＬＡＮネットワークに移行することを決定し、ソースｅＮＢは、移行命令（ｓｔｅｅｒｉｎｇ  ｃｏｍｍａｎｄ）メッセージをＵＥに送信した後、ＲＲＣ接続を解放し、図７に示すように、本実施形態によって提供されるサービス移行方法は、以下のステップを含む。
【００８５】
ステップ７０１において、ＵＥは、３ＧＰＰネットワークとＷＬＡＮネットワークの相互運用（ｉｎｔｅｒｏｐｅｒａｔｉｏｎ）ポリシーを取得する。
【００８６】
この例において、ＵＥは、アクセスネットワークエレメントとするソースｅＮＢから相互運用ポリシーを取得する。
【００８７】
ステップ７０２において、ＵＥは、取得された相互運用ポリシーに基づいて、すべてのサービスの移行条件を満たすと判定した場合、サービス移行に関連する測定レポートをトリガすることを決定する。
【００８８】
この例において、ＵＥは、取得された相互運用ポリシーに基づいて測定を実行し、測定結果に基づいてすべてのサービスをＷＬＡＮネットワークに移行する条件を満たすと判定した場合、サービス移行に関連する測定レポートをトリガする。
【００８９】
ステップ７０３において、ＵＥは、ソースｅＮＢへサービス移行に関連する測定レポートを送信する。
【００９０】
この例において、ＵＥは、測定レポート（ｍｅａｓｕｒｅｍｅｎｔ  ｒｅｐｏｒｔ）メッセージを使用してソースｅＮＢへサービス移行に関連する測定レポートを送信する。
【００９１】
ステップ７０４において、ＵＥは、測定し、測定結果が切り替えに関連するイベントを満たす場合、切り替えに関連する測定レポートをトリガする。
【００９２】
この例において、ＵＥは、それが取得した測定結果に基づいて移動性測定イベントのトリガ条件を満たすかどうかを判定する。
【００９３】
ステップ７０５において、ＵＥは、ソースｅＮＢへ切り替えに関連する測定レポートを送信する。
【００９４】
この例において、ＵＥは、それが取得した測定結果に基づいて、ネットワーク側のソースｅＮＢへ移動性に関連する測定レポートを送信し、ネットワーク側が切り替えの判定を行うのに支援を与える。
【００９５】
ステップ７０６において、ネットワーク側のソースｅＮＢは、ＵＥから送信されたサービス移行に関連する測定レポートおよび切り替えに関連する測定レポートを受信した後、サービス移行の判定と切り替えの判定を実行する。
【００９６】
この例において、ソースｅＮＢは、ＵＥから送信されたサービス移行に関連する測定レポートと切り替えに関連する測定レポートを受信した後、サービス移行の判定および切り替えの判定を行い、サービス移行優先原則に従って、サービス移行操作を実行すると判定し、ターゲットｅＮＢへ切り替え要求シグナリングを送信しない。
【００９７】
ステップ７０７において、ソースｅＮＢは、ＵＥへ移行命令（ｓｔｅｅｒｉｎｇ  ｃｏｎｍｍａｎｄ）メッセージを送信する。
【００９８】
この例において、ソースｅＮＢは、ＵＥから報告された測定レポートがすべてのサービスの移行要求を満たすと判定し、ＵＥへ移行命令（ｓｔｅｅｒｉｎｇ  ｃｏｍｍａｎｄ）メッセージを送信し、サービスの移行操作を実行するようにＵＥに命令する。
【００９９】
ステップ７０８において、ＵＥは、移行命令（ｓｔｅｅｒｉｎｇ  ｃｏｍｍａｎｄ）メッセージを受信した後にＷＬＡＮ接続確立プロセスを開始する。
【０１００】
この例において、ＵＥは、ソースｅＮＢから送信された移行命令（ｓｔｅｅｒｉｎｇ  ｃｏｍｍａｎｄ）メッセージを受信した後、ＷＬＡＮアクセスポイント（Ａｃｃｅｓｓ  Ｐｏｉｎｔ：ＡＰ）へ接続確立プロセスを開始し、そして接続を成功に確立した後にデータ伝送を行う。
【０１０１】
ステップ７０９において、ソースｅＮＢは、移行命令（ｓｔｅｅｒｉｎｇ  ｃｏｍｍａｎｄ）メッセージを送信した後、ＵＥへＲＲＣ解放（ｒｅｌｅａｓｅ）メッセージを送信する。
【０１０２】
この例において、ソースｅＮＢは、サービス移行優先原則に従って、ＵＥへ移行命令（ｓｔｅｅｒｉｎｇ  ｃｏｍｍａｎｄ）メッセージを送信した後、すぐにＲＲＣ接続を解放する。
【０１０３】
ステップ７０９は、ステップ７０８の前に開始されることができる。
【０１０４】
実施形態四
本実施形態において、ネットワーク側は、すべてのサービスをＷＬＡＮネットワークに移行することを決定し、ソースｅＮＢは、行われている切り替えプロセスを終止し、図８に示すように、本実施形態によって提供されるサービス移行方法は、以下のステップを含む。
【０１０５】
ステップ８０１において、ＵＥは、３ＧＰＰネットワークとＷＬＡＮネットワークの相互運用ポリシーを取得する。
【０１０６】
この例において、ＵＥは、アクセスネットワークエレメントとするソースｅＮＢから相互運用ポリシーを取得する。
【０１０７】
ステップ８０２において、ＵＥは、測定し、測定結果が切り替えに関連するイベントを満たす場合、切り替えに関連する測定レポートをトリガする。
【０１０８】
この例において、ＵＥは、それが取得した測定結果に基づいて移動性測定イベントのトリガ条件を満たすかどうかを判定する。
【０１０９】
ステップ８０３において、ＵＥは、ネットワーク側のソースｅＮＢへ切り替えに関連する測定レポート（Ｍｅａｓｕｒｅｍｅｎｔ  ｒｅｐｏｒｔＳ）を送信する。
【０１１０】
この例において、ＵＥは、それが取得された測定結果に基づいて、ネットワーク側のソースｅＮＢへ切り替えに関連する測定レポートを送信し、ネットワーク側が切り替えの判定を行うのに支援を与える。
【０１１１】
ステップ８０４において、ネットワーク側のソースｅＮＢは、ＵＥから送信された切り替えに関連する測定レポートを取得した後、切り替えの判定を実行する。
【０１１２】
この例において、ネットワークは、ＵＥから送信された切り替えに関連する測定レポートを受信した後、切り替えの判定を実行し、そしてＵＥをターゲットｅＮＢに切り替える。
【０１１３】
ステップ８０５において、ソースｅＮＢは、ターゲットｅＮＢへ切り替え要求（Ｈａｎｄｏｖｅｒ  ｒｅｑｕｅｓｔ）メッセージを送信する。
【０１１４】
この例において、ソースｅＮＢは、ターゲットｅＮＢへ切り替え要求メッセージを送信し、切り替え条件を満たすＵＥをターゲットｅＮＢに切り替えることを望む。
【０１１５】
ステップ８０６において、ＵＥは、取得された相互運用ポリシーに基づいて、すべてのサービスの移行条件を満たすと判定した場合、サービス移行に関連する測定レポートをトリガすることを決定する。
【０１１６】
この例において、ＵＥは、測定結果に基づいてすべのサービスをＷＬＡＮネットワークに移行する条件を満たすと判定した場合、サービス移行に関連する測定レポートをトリガする。
【０１１７】
ステップ８０７において、ＵＥは、ネットワーク側のソースｅＮＢへサービス移行に関連する測定レポートを送信する。
【０１１８】
この例において、ＵＥは、測定レポート（ｍｅａｓｕｒｅｍｅｎｔ  ｒｅｐｏｒｔ）メッセージを使用してソースｅＮＢへサービス移行に関連する測定レポートを送信する。
【０１１９】
ステップ８０８において、ネットワーク側のソースｅＮＢは、受信されたサービス移行に関連する測定レポートに基づいて、サービス移行の判定を実行する。
【０１２０】
この例において、ソースｅＮＢは、ＵＥから送信されたサービス移行に関連する測定レポートを受信した後にサービス移行の判定を実行し、サービス移行優先原則に従って、サービス移行操作を実行する必要があると判定し、サービス移行操作を実行することを決定した後、切り替えプロセスが行われていると、行われている切り替えプロセスを停止する。
【０１２１】
ステップ８０９において、ソースｅＮＢは、ターゲットｅＮＢへ切り替えキャンセル（Ｈａｎｄｏｖｅｒ  ｃａｎｃｅｌ）シグナリングを送信し、行われている切り替えプロセスを終止する。
【０１２２】
この例において、ソースｅＮＢは、サービス移行優先原則に従って、サービス移行を決定した後、ターゲットｅＮＢへ切り替えキャンセルシグナリングを送信し、行われている切り替えプロセスを終止する。
【０１２３】
ステップ８１０において、ソースｅＮＢは、ＵＥへ移行命令（ｓｔｅｅｒｉｎｇ  ｃｏｍｍａｎｄ）メッセージを送信する。
【０１２４】
この例において、ソースｅＮＢは、ＵＥから報告された測定レポートがすべてのサービスの移行要求を満たすと判定し、ＵＥへ移行命令（ｓｔｅｅｒｉｎｇ  ｃｏｍｍａｎｄ）メッセージを送信し、サービス移行操作を実行するようにＵＥに命令する。
【０１２５】
ステップ８１１において、ＵＥは、移行命令（ｓｔｅｅｒｉｎｇ  ｃｏｍｍａｎｄ）メッセージを受信した後にＷＬＡＮ接続確立プロセスを開始する。
【０１２６】
この例において、ＵＥは、ソースｅＮＢから送信された移行命令（ｓｔｅｅｒｉｎｇ  ｃｏｍｍａｎｄ）メッセージを受信した後、ＷＬＡＮ  ＡＰへ接続確立プロセスを開始し、そして接続を成功に確立した後にデータ伝送を行う。
【０１２７】
実際の応用において、本発明の実施形態は、汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）にも適用し、本発明の実施形態がＵＭＴＳネットワークに応用されることは、本発明の実施形態がＬＴＥネットワークに応用されることと類似するので、説明を省略する。
【０１２８】
前記各ユニットは、電子装置における中央処理装置（Ｃｅｎｔｒａｌ  Ｐｒｏｃｅｓｓｉｎｇ  Ｕｎｉｔ：ＣＰＵ）、デジタル信号プロセッサ（Ｄｉｇｉｔａｌ  Ｓｉｇｎａｌ  Ｐｒｏｃｅｓｓｏｒ：ＤＳＰ）またはフィールド-プログラマブルゲートアレイ：ＦＰＧＡ）によって実現されることができる。
【０１２９】
本分野の当業者は、本発明の実施形態が方法、システムまたはコンピュータプログラム製品として提供されることができると理解すべきである。従って、本発明は、ハードウェア実施形態、ソフトウェア実施形態、またはソフトウェアとハードウェアを組み合わせた実施形態の形態を採用することができる。本発明は、コンピュータ使用可能プログラムコードが含まれる１つ以上のコンピュータ使用可能記憶媒体（磁気ディスク記憶装置と光学メモリなどを含むがこれらに限られない）で実施されるコンピュータプログラム製品の形態を採用することができる。
【０１３０】
本発明は、本発明の実施形態による方法、装置（システム）とコンピュータプログラム製品に基づくフローチャートおよび／またはブロック図を参照して説明される。コンピュータプログラム命令によってフローチャートおよび／またはブロック図の各プロセスおよび／またはブロック、およびフローチャートおよび／またはブロック図のプロセスおよび／またはブロックの組み合わせを実現することができると理解すべきである。これらのコンピュータプログラム命令を汎用コンピュータ、専用コンピュータ、組み込みプロセッサまたは他のプログラム可能なデータ処理装置のプロセッサに提供して一つのマシンを生成することができ、これにより、コンピュータまたは他のプログラム可能なデータ処理装置のプロセッサで実行された命令によりフローチャートの１つ以上のプロセスおよび／またはブロック図の１つ以上のブロックにおける指定された機能を実現するための装置を生成する。
【０１３１】
これらのコンピュータプログラム命令は、特定のモードで動作するようにコンピュータまたは他のプログラム可能なデータ処理装置を案内することができるコンピュータ可読メモリに記憶されることもでき、これにより、当該コンピュータ可読メモリに記憶された命令により命令装置が含まれる製造品を生成し、当該命令装置がフローチャートの1つ以上のプロセスおよび／またはブロック図の１つ以上のブロックにおける指定された機能を実現する。
【０１３２】
これらのコンピュータプログラム命令は、コンピュータまたは他のプログラム可能データ処理装置にロードされることもでき、これにより、コンピュータまたは他のプログラム可能なデータ処理装置で一連の操作ステップを実行してコンピュータで実現された処理を生成し、それによってコンピュータまたは他のプログラム可能なデータ処理装置で実行された命令によりフローチャートの１つ以上のプロセスおよび／またはブロック図の１つ以上のブロックにおける指定された機能を実現するためのステップを提供する。
【０１３３】
上記は、本発明の実施例の実施形態に過ぎなく、本発明を制限することに用いられるものではなく、本分野の当業者に対して、本発明は、種々の変形が可能である。本発明の主旨精神と原則以内に、いかなる改修、同等入れ替わり、改良等が、本発明の保護範囲以内に含まれるべきである。
【産業上の利用可能性】
【０１３４】
本発明の実施形態に記載される技術的解決手段に基づいて、ＵＥは、自身がサービス移行条件を満たすかどうかを判定し、サービス移行条件を満たす場合、サービス移行優先処理原則に従って、ワイヤレスローカルエリアネットワーク（ＷＬＡＮ）接続確立プロセスを開始し、そしてサービスをＷＬＡＮネットワークに移行する。これにより、サービス移行優先処理原則に従って、ワイヤレスローカルエリアネットワーク（ＷＬＡＮ）接続確立プロセスを開始し、そしてサービスをＷＬＡＮネットワークに移行する。本発明の実施形態は、移動性およびサービス移行が同時に存在する場合にどのように操作するかの問題を解決でき、さらにネットワークの異常を避け、シグナリングオーバヘッドを節約し、ネットワーク性能を最適化する。
【図１】
0006422972.tif 000002
【図２】
0006422972.tif 000003
【図３】
0006422972.tif 000004
【図４】
0006422972.tif 000005
【図５】
0006422972.tif 000006
【図６】
0006422972.tif 000007
【図７】
0006422972.tif 000008
【図８】
0006422972.tif 000009